(57)【要約】本発明は硬質材料から形成された吸引カップ（１）から構成される産科吸引分娩器であり、上記吸引カップ（１）にはチューブのための接続部（５）とコネクタ部品（４）が備わってなる。さらに産科吸引分娩器は、弾力性材料から形成された牽引手段（６）とロック手段（１１）とから構成される。上記牽引手段（６）は、取手部（７）、接続手段（８）及びコネクタ（９）から構成される。本発明は、上記コネクタ部品（４）が吸引カップ（１）に一体化だれた部品として形成されることを特徴とする。上記コネクタ（９）は、上記コネクタ部品（４）と接続するように配置され、コネクタ部品（４）とコネクタ（９）は相互に対して移動可能に固定できる。
2005537084.tif 000002
【特許請求の範囲】
【請求項１】
略チューブ状としたコネクタ部品（４）を有する硬質材料から形成された吸引カップ（１）と、取手部（７）、接続手段（８）及びコネクタ（９）から構成される弾力性物質からなる牽引部品（６）と、及びロック手段（１１）とから構成される産科吸引分娩器であり、
上記コネクタ部品（４）は吸引カップ（１）に一体化された部品として形成され、上記コネクタ（９）は上記コネクタ部品（４）に接続可能となるよう配置され、上記コネクタ部品（４）とコネクタ（９）とは相互に移動可能に固定されることを特徴とする産科吸引分娩器。
【請求項２】
上記取手部（７）、接続手段（８）及びコネクタ（９）は単一の部品として形成されることを特徴とする請求項１に記載の産科吸引分娩器。
【請求項３】
上記取手部（７）、接続手段（８）及びコネクタ（９）はそれぞれ別個の部品として形成されることを特徴とする請求項１に記載の産科吸引分娩器。
【請求項４】
上記コネクタ部品（４）は、上記吸引カップ（１）における球体部分（３）に一体化された部品であることを特徴とする請求項１に記載の産科吸引分娩器。
【請求項５】
上記コネクタ部品（４）は１つ又は複数の部品から構成されることを特徴とする請求項１に記載の産科吸引分娩器。
【請求項６】
上記コネクタ部品（４）には溝部（１０）が形成されてなることを特徴とする請求項１に記載の産科吸引分娩器。
【請求項７】
上記コネクタ部品（４）には、その一方の端部に収納部（１９）が形成されることを特徴とする請求項１に記載の産科吸引分娩器。
【請求項８】
上記コネクタ部品（４）には、部分的に球状部を有する内側面部（１５）が形成されることを特徴とする請求項１に記載の産科吸引分娩器。
【請求項９】
上記接続手段（８）は糸状部品として形成されることを特徴とする請求項１に記載の産科吸引分娩器。
【請求項１０】
上記接続手段（８）はリボン状部品として形成されることを特徴とする請求項１に記載の産科吸引分娩器。
【請求項１１】
上記コネクタ（９）はボール状の形態をしてなることを特徴とする請求項１に記載の産科吸引分娩器。
【請求項１２】
上記コネクタ（９）は円柱状の形態をしてなることを特徴とする請求項１に記載の産科吸引分娩器。
【請求項１３】
上記ロック手段（１１）はコネクタ部品（４）に備えられた固定可能なロック装置であることを特徴とする請求項１に記載の産科吸引分娩器。
【請求項１４】
上記固定可能なロック装置（１１）は、その端部に部分的に球状の表面部（１６）が形成されることを特徴とする請求項１３に記載の産科吸引分娩器。
【請求項１５】
上記固定可能なロック装置には、放射状に配置された軸方向に延長する穴部（１８）が形成され、該穴部（１８）には上記接続手段（８）の一部が収納されることを特徴とする請求項１４に記載の産科吸引分娩器。
【請求項１６】
上記ロック手段（１１）は、上記コネクタ部品（４）に備えられたスナップで取付けを行う方式の装置であることを特徴とする請求項１に記載の産科吸引分娩器。
【請求項１７】
上記ロック手段（１１）は、上記コネクタ部品（４）に備えられた接着可能な装置であることを特徴とする請求項１に記載の産科吸引分娩器。
【請求項１８】
上記ロック手段（１１）は、上記コネクタ部品（４）に備えられたピン状部品であることを特徴とする請求項１に記載の産科吸引分娩器。
【発明の詳細な説明】
【技術分野】
【０００１】
本発明は、硬質材料から形成された吸引カップから構成された産科吸引装置、いわゆる吸引分娩器に関し、上記吸引カップはチューブのための接続部品とコネクタ部品とが備わってなり、さらに吸引装置は弾力性材料から形成された牽引手段とロック手段とから構成される。上記牽引手段は、取手部、接続手段及びコネクタから構成される。
【背景技術】
【０００２】
出産は、場合によっては自然な方法でやり遂げることができず、様々な補助手段による介助が必要とされる。産科吸引装置は、このような出産の際の補助として用いられる。この器具を使用する兆候としては、胎児仮死や、例えば胎盤からの不十分または閉鎖した酸素供給によって胎児の脈拍の衰弱などに見られるような胎児における不具合が現れたときである。さらなる使用の兆候としては、例えば母体にとって分娩が長時間に及び、母体の状態により短縮された分娩時間が要される場合などである。産科吸引装置を用いるためには特定の条件を満たしていなければならない。例を挙げると、赤ん坊は完全に発達し３４週またはそれ以上でなければならず、さらに羊膜が破れ、子宮の出口が完全に拡張していなければならない。
【０００３】
産科吸引装置には主として２つの種類があり、例えばソフトポリマーやゴム素材などの弾力性材料から作られたものや、例えば硬質ポリマーや、ステンレスまたは真鍮などの金属などの硬質材料から作られたものなどがある。
【０００４】
ＵＳ４５１２３４７において、金属、好ましくはステンレスから形成された硬質な産科吸引装置が説明されている。この吸引装置は、コネクタ部品が備えられた吸引カップから構成され、上記コネクタ部品には例えばチェーンなどの接続部品が固定的に接続される。さらに吸引装置は接続部品に取外し可能に備えられた取手部を有する。このような吸引装置は製造するのに費用を要し、また複数回使用されることが意図されている。
【０００５】
さらにＵＳ４６２０５４４において、吸引カップ及び接続手段から構成される吸引装置が開示されている。この吸引カップは金属から作られる。吸引カップの球状部分には回転盤が備えられ、該回転盤にはその両端部が回転盤に接続された横方向の棒状部品が備えられる。この横方向の棒状部品には環状部品が備えられ、この環状部品には接続部品、チェーンまたは類似した類の部品が備えられる。この場合、チェーンは接続部品及び取手部として機能する。上記回転盤は切削部を形成することもあり、これによって他人を傷つける可能性がある。さらにこの吸引カップは、高額で清浄が困難である。医療的品質のシリコンから形成された軟性吸引装置は、ＷＯ８９／０６１１２において記載されている。この器具は一体化された部品として形成され、取手部と吸引カップとから構成される。上記吸引カップには、その内径がそれぞれ５０ミリメートル及び６０ミリメートルに形成された２つのサイズが用意される。ＷＯ８９／０６１１２による吸引装置の使用寿命は約２年間と予期される。
【０００６】
ＵＳ５２２４９４７において、吸引カップ及び接続部品からなる産科吸引分娩器が記載されている。吸引カップは軟性材料から作られ、接続部品は半硬質材料から作られる。とりわけチューブ状部品からなることが好ましいとする上記接続部品には、吸引ポンプが接続されるためのチューブが配置される。このような構造は、実用的には耐久性はない。
【０００７】
ＵＳ６０７４３９９において、吸引カップ、取手部及び手動式の吸引ポンプから構成され、それらが一体化された１つの装置として形成された産科吸引分娩器が記載されている。上記吸引カップは、弾力性材料または硬質材料のどちらから作られてもよい。吸引カップまたは装置全体は、使い捨て可能として形成されることも可能である。手動ポンプ及び取手部は再利用可能として形成されてもよい。上記のような発明には、手動式ポンプの形態をした特別に形成されたポンプが必要とされ、これによって製造工程が複雑化する。吸引カップが使い捨て部品として形成されると、製造費はさらに高額となり、従って購入価格の高額な製品となる。また手動ポンプが付されることにより、製品が標準的なチューブと共に接続及び使用することが不可能となる。
【０００８】
ＵＳ６０５９７９５において、吸引カップの球状部分に収納部が配置されることを特徴とする吸引装置が記載されている。吸引ポンプに接続されたチューブは、吸引カップの滑らかな球体の形成と、複雑な位置における吸引装置の使用を可能とする収納部の中へと挿入される。
【０００９】
本発明では、牽引手段を吸引カップに取付ける方法を開示している。本発明は、吸引カップ及び牽引手段のそれぞれに求められる事項に適応する様々な特性を有し、ポリマー材料から完全に作られた産科吸引分娩器を提供する。取手部、接続手段、及びコレクタから構成される上記牽引手段は、全ての部品が一体化されて形成されてもよい。吸引カップ及び牽引手段は相互に取外し可能に配置されるが、使用の際に最大限の安全を同時に保証するためにロック手段を用いて相互に固定されてもよい。製造において、吸引カップ及び牽引手段は好適にはそれぞれ射出成型される。そして吸引カップ及び牽引手段は共に１つの吸引装置に取り付けられ、パックされた後に殺菌処理が施される。使用の際、吸引装置はチューブを用いたチューブ接続部を介して吸引ポンプに接続される。
【発明の開示】
【発明が解決しようとする課題】
【００１０】
本発明の目的は、チューブ接続部が備えられた吸引カップと、さらに牽引手段及びロック手段が備えられた連接手段とからなる硬質材料から形成された使い捨ての産科吸引分娩器を実現することによって、上記のような問題点を解消することである。上記牽引手段は取手部、接続手段及びコネクタから構成され、全ての部品が一体化された部品として形成されてもよい。吸引カップは硬質材料から形成され、牽引手段は柔軟だが非弾性の材料から形成される。吸引カップと、取手部、接続手段及びコネクタからなる牽引手段とは使い捨て可能なポリマー材料から作られる。吸引カップは形状保持性質を有するポリカーボネイトなどの硬質ポリマーから形成される。牽引手段は、例えば柔軟なプラスチック材料などの、伸縮はしないが容易に屈曲するような材料から形成される。
【課題を解決するための手段】
【００１１】
上記目的は、コネクタ部品が吸引カップ、好適には吸引カップの球状部分に一体化された部品として配置され、上記接続手段はこのコネクタ部品と固定されるように取付けられ、上記接続手段及びコネクタ部品が相互に移動可能に固定されることで達成できる。
【発明の効果】
【００１２】
本発明の利点は、
・使用後に廃棄可能な使い捨て製品であり、合理的且つ衛生的であり、また製品を洗浄、殺菌する必要がないため費用が抑えられ、経済的でもある。
・取手部、接続手段及びコネクタは一体化された部品として形成することも可能で、取手部及びコネクタは管状に形成されてもよい。
・接続手段は異なる長さで形成されることが可能で、こうすることによって吸引分娩器は様々な要求、要望に適応可能となる。
・コネクタは、例えば全ての方向に回転可能なボール状の形態、またはコネクタ部品内で放射状には移動しても横方向には移動しない円柱状の形態など、様々な形態を有することが可能である。
・ロック手段の形態は変更可能であり、吸引分娩器の使用に関連して安全性を向上するような様々な手法に適応することができる。
・本発明の吸引分娩器の製造は安価で、単純且つ短時間で可能なため、従って製品を低価格に抑えることに繋がる。
・胎児及び母体を傷つけないための安全機構として、吸引カップはその吸引力が２０キログラムを超過すると、吸引カップが胎児から離れるように形成されている。
・吸引分娩器は、チューブ接続を介して一般的なチューブ及びポンプに接続が可能であり、特別に設計された付加器具を必要としない。
【００１３】
本発明のいくつかの好適な実施例は、添付の図面を参照として、下記により詳細に記載される。
【発明を実施するための最良の形態】
【００１４】
下記に記載の全ての具体案において、本発明による産科吸引分娩器には、全ての図面において１として示されている吸引カップが備わってなる。さらに牽引手段６には、取手部７、接続手段８及びコネクタ９が備わってなり、これら全ての部品は一体化された部品として形成可能である。全ての図面において、同様の部品には上記と同様の表示が用いられる。
【００１５】
吸引カップ１には、概ね円周上に設けられ、好適には丸みを帯びて形成された補強縁部２が備えられた、概ね滑らかな外側面が形成される。上記吸引カップ１の内側面部もまた、概ね滑らかな面として形成される。吸引カップ１の内部には、ネットの形態をした、ポリマー材料であればどんな種類からでも形成されてよいとする取外し可能な底面部１４が配置される。底面部１４は、胎児の頭皮にへばり付くのを防ぐために、吸引カップ１の内側面全体に渡って吸引力を及ぼす。主として吸引カップ１には、その内径がそれぞれ４０、５０及び６０ミリメートルを有する３つの異なる寸法のものがある。硬質な吸引カップ１は変形することがなく、これによって最大限の密着性を得ることに繋がる。吸引カップ１の好ましくはその球状部分３において、牽引手段６を取付けるためにコネクタ部品４が十分に固定されて配置される。さらに吸引カップ１の球状部分３にはチューブ接続部５が配置され、このチューブ接続部５は実質的には取外し可能に配置されたチューブを用いて吸引カップ１を吸引ポンプに接続する。
【００１６】
図１ａから１ｅで示される第１具体案によると、取手部は中空の管状部品として形成される。接続手段８は、糸状の形態に形成される。また接続手段８は、横方向に屈曲可能だが縦方向に伸縮することはできない。コネクタ９は中空、もしくは高質量なボール状の部品として形成される。
【００１７】
コネクタ部品４は、吸引カップ１における球状部分３に一体化されて固定的に配置され、溝部１０が形成されてなる。本具体案においてはケーシングの形態をしてなるコネクタ部品４には、実質的には部分的に球状の内側面部１５が備えられる。この具体案においてはボール状の形態をしてなるコネクタ９は、接続手段８が溝部１０を通るようにコネクタ部分４に挿入される。接続手段８の厚さは、溝部１０に接続手段８がスムーズに通るように、溝部１０よりも若干薄く形成される。チューブ接続部５は、吸引カップ１の球状部分３に固定的に配置される。
【００１８】
ボール状部品の外径は、コネクタ部品４の内径よりも若干小さく形成され、これによってコネクタ部品４の内径とボール状部品の外径の間に余裕が生まれる。このようにすることで、ボール状部品をコネクタ４に容易に挿入することができ、全ての方向に移動させることが可能となる。ケーシングの形態をしたコネクタ部品４の内壁部は、好適には部分的に球状をした側面部１５として形成され、これによってコネクタ４内部における球状部品の接続が形成され、抗張力に関して有益となる。
【００１９】
さらに吸引分娩器は、胎児及び母体に被害を及ぼさないための安全機構として、牽引力が２０キログラムを超過すると、吸引カップ１が胎児の頭皮から離れるように形成される。ロック手段１１は、コネクタ９がコネクタ部品４から滑り出ることのないようコネクタ部品４における開口部に備えられる。第１具体案によるとロック手段１１は、コネクタ９がコネクタ部品４の中に挿入されるとコネクタ部品４の開口部に取付けられるプラグの形態をした固定可能なロック装置である。プラグとして形成された上記ロック手段１１は、スナップ式もしくは接着することによって取付けられる。プラグとして形成されたロック手段１１は、ボール状に形成されたコネクタ９の球状部分に嵌るように、部分的に球状に形成された端部表面部１６を有する。
【００２０】
吸引カップ１が用いられる際に牽引手段６が妨げとならないために、プラグとして形成されたロック手段１１もしくはコネクタ部品４は、取手部７が屈曲可能となるように接続手段８の一部を受けるよう配置される。図１ｄに見られる実施案の一つによると、プラグとして形成されるロック手段１１には隙間部１８が備えられる。この隙間部１８は被覆物から半径方向に向いて、内向きに軸上にロック手段１１に沿って施される。吸引カップ１が挿入される際、接続手段８は隙間部１８に部分的に納められることが可能で、これによって挿入が容易に行われ、産まれる赤ん坊の頭部のより近くに吸引カップ１を配置することが可能となる。図１ｅに見られるさらなる実施案によると、コネクタ部品４にはその端部の一方に収納部１９が備えられ、この収納部１９には接続部品８が部分的に収納される。
【００２１】
産科吸引分娩器を挿入する際、吸引カップ１は赤ん坊の頭部に接するように配置される。挿入される際に吸引装置がやっと取付けられ、すなわちコネクタ９がコネクタ部品４に取付けられる。そして、ロック手段１１を用いてコネクタ９及びコネクタ部品４が相互に移動可能に固定される。
【００２２】
第１具体案によると、取手部７は中空の管状部品として形成されているが、例えばボール状、円盤状、または円錐状で、高質量であるなど、その他の形態に形成されてもよい。接続手段８は糸状に形成されているが、例えばバンド状の形状をしてなるかチェーンなどの形態であってもよい。コネクタ９は、高質量もしくは中空のボール状部品であるが、円柱もしくは円錐の形状であってもよい。
【００２３】
第１具体案によると、コネクタ部品は吸引カップ１における球状部分３に一体化された固定部品として形成されるが、取外し可能に備えられてもよい。コネクタ部品４には、さらに実質的に部分的に球状の内側面部１５が備えられ、この内側面部１５はとりわけコネクタ９の形状に応じて、他の形状に形成されることももちろん可能である。
【００２４】
ロック手段１１はコネクタ部品４における開口部に備えられ、ロック手段１１は第１具体案によるとコネクタ部品４に取り付けられるプラグの形態をした固定可能なロック装置であるが、ピンやその類の部品として形成されてもよい。ロック手段１１はこの具体案によるとスナップ式もしくは接着式の部品であるが、溶接、リベット接合やその類で固定されてもよい。プラグとして形成されたロック手段１１は、ボールとして形成されたコネクタ９の球状部分と嵌まるように部分的に球状の端部表面部１６を有するが、端部表面部１６はとりわけコネクタ９の形状に応じてその他の形状に形成されてもよい。
【００２５】
図２に見られる第２具体案によると、中空で管状に形成された取手部７には、溝状孔部１２が取手部７の縦軸に対して横断方向に備わってなる。接続手段８は、好ましくは平坦な射出成形された、超音波溶接によって溶接されたポリマー製のリボン状部品として形成される。
【００２６】
吸引カップ１における球状部分３のコネクタ部品４には、相互に離れた位置に配置された２つの接続具が備わってなり、その相互からの距離はリボンとして形成された接続手段８の幅よりも大きい。この接続具の間には、吸引カップ１の球状部分３の表面と横棒として形成されたコネクタ９の間にリボン状の接続部品８が配置されるように、この具体案においてはコネクタとしての役割を担う横棒が吸引カップ１の球状部分３の表面よりも若干上方に備えられる。リボン状の接続手段８の長さは、取手部７に巻きつけることによって調節可能となる。
【００２７】
吸引カップ１は、その球状部分３にコネクタ部品４が固定的に備えられてなる。コネクタ９は上記コネクタ部品４に一体化され、固定的に取付けられる。さらに取手部７はそれ自体として成形される。それらの各部品は、接続手段８によって接続され、好適には超音波溶接を用いて共に溶接される。
【００２８】
第２具体案によると、取手部７は中空の管状であるが、例えばボール状、円柱状、円錐状またはその類の形状で高質量であるなどの、その他の形態であってももちろんよい。上記取手部７にはさらに溝状孔部１２が備えられるが、溝状孔部１２はもちろん円形やその類のその他の形状に形成されてもよい。接続手段８は、好適には平坦で射出成形されたリボンとして形成されたポリマー製のリボンであるが、糸状にもしくはチェーンとして形成されることも可能である。
【００２９】
さらに第２具体案によるコネクタ部品４は、相互に離れて配置された２つの接続具を備えられるが、コネクタ部品４はもちろんその他の方法を用いて形成されてもよく、またケーシングやその類を備えるように形成されてもよい。第２具体案によると、それらの各部品は、接続手段８を用いて相互に接続され、好適には超音波溶接を用いて溶接されるが、接着剤、リベットやその類を用いて固定することももちろん可能である。
【００３０】
図３に見られる第３の具体案によると、取手部７（図示なし）は中空の管状部品であり、溝状孔部１２（図示なし）が備わってなる。接続手段８は、例えば平坦なリボン状に射出成形されたリボン状部品である。コネクタ９は中空で円柱状の棒状部品であり、その周りには接続部品８が例えば超音波溶接や、もしくは上記第２具体案に応じた方法で巻かれるように溶接される。棒状部品であるコネクタ９は、リボンとして形成された接続手段８の幅よりも若干長く形成され、これはすなわち棒状部品であるコネクタ９がリボンである接続手段８の両側から若干突出することを意味する。
【００３１】
吸引カップ１における球状部分３に備えられたコネクタ部品４は、吸引カップ１の球状部分３の表面部に接続され、好適には弓状に形成された２つの接続具から構成される。接続具として形成されたコネクタ部品４の一方の端部は、球状部分３の表面に直接的に接続され、もう一方の端部はその接続具と吸引カップ１の球状部分３の表面との間に若干の距離を有する。この距離は、コネクタ９をスナップ式に取り付けるためにコネクタ９よりも若干小さく形成される。コネクタ９は、例えば突縁部などがその両端部に形成されてもよい。２つの接続具の間の距離は、リボンとして形成された接続手段８の幅よりも若干大きくなるよう形成される。コネクタ９とその周りに巻きつけられた接続手段８とは、棒状部品であるコネクタ９の突出する端部が接続具の下に入り込むように、コネクタ部品４へ挿入される。そしてコネクタ９及び接続手段８は、上方に向って屈曲されるとスナップ式に接続されるが、それでもなお回転可能とする。
【００３２】
第３具体案によると、取手部７は中空の管状であるが、例えばボール状、円柱状、円錐状またはその類の形状で高質量であるなどの、その他の形態であってももちろんよい。上記取手部７にはさらに溝状孔部１２が備えられるが、この溝状孔部１２はもちろん円形やその類のその他の形状に形成されてもよい。接続手段８は、好適には平坦でリボン状に射出成形されたポリマー製のリボンであるが、糸状にもしくはチェーンとして形成されることも可能である。コネクタ９は中空で円柱の棒状部品であるが、例えば高質量なボール状やその類の形状に形成されてももちろんよい。
【００３３】
コネクタ部品４は吸引カップ１の球状部分３に備えられ、好適には２つの弓状の接続具から構成されるが、この接続具は例えばケーシングやその類などの、その他の形状であってももちろんよい。
【００３４】
図４に見られる第４の具体案によると、取手部７（図示なし）は中空で管状に形成される。接続手段８はリボン状で、コネクタ９は円柱状の高質量もしくは中空の棒状部品に形成される。
【００３５】
この具体案におけるコネクタ部品４は、吸引カップ１の球状部分３に配置された概ね円柱状のケーシングであり、この円柱状のケーシングには溝部１０が形成されてなる。この溝部１０にコネクタ９が挿入される。ロック手段１１（図示なし）は、例えば接着式のプラグやその類の部品から構成されてもよい。円柱状のコネクタ９の外径は、ケーシングとして形成されたコネクタ部品４の内径よりも若干小さく、リボンとして形成された接続手段８の厚さは溝部１０の幅よりも若干小さく形成される。
【００３６】
第４具体案によると、取手部７は中空の管状であるが、例えばボール状、円錐状またはその類の形状で高質量であるなどの、その他の形態であってもよい。接続手段８はリボン状に形成されるが、糸状にもしくはチェーンとして形成されることも可能である。コネクタ９は中空で円柱の棒状部品であるが、例えば高質量でボール状や円錐状またはその類の形状に形成されてもよい。
【００３７】
第４具体案によると、コネクタ部品４は実質的には円柱状のケーシングとして形成されるが、例えば１つまたは複数の接続具などのその他の適するどのような形状に形成されてもよい。ロック手段１１は、例えば接着式のプラグやその類などから構成されてもよいが、各部品は溶接、リベットまたはその類を用いて接続されてもよい。
【００３８】
図５に見られる第５具体案によると、取手部７（図示なし）は中空で管状に形成される。また接続手段８はリボンとして、コネクタ９は概ね円柱状の中空の棒状部品として形成される。
【００３９】
コネクタ部品４は、吸引カップ１の球状部分３に備えられる２つの接続具から構成される。２つの接続具の間の距離は、リボンである接続手段８の幅よりも若干大きくなるよう配置される。接続具は吸引カップ１の球状部分３の表面部に接続される。この２つの接続具の間の距離は円柱状のコネクタ９の寸法よりも若干大きく形成される。そしてコネクタ９は接続具の間に挿入される。
【００４０】
この具体案においてロック手段１１は、まず１つ目の接続具を通過し、次いでコネクタ９内を通り、最終的には２つ目の接続具を通過するピン部材として形成される。このピン部材として形成されるロック手段１１は、接続具及びコネクタ９との共通した寸法と概ね同じ長さを有する。ピン部材であるロック手段１１は、コネクタ９に固定されるために溝部が形成されてなる。
【００４１】
第５具体案によると取手部７は中空の管状であるが、例えばボール状、円錐状またはその類の形状で高質量であるなどの、その他の形態であってももちろんよい。接続手段８はリボンであるが、糸状にもしくはチェーンとして形成されることも可能である。コネクタ９は中空で概ね円柱の棒状部品であるが、例えば概ね円状や円錐状の高質量な部品やその類の物に形成されてもよい。
【００４２】
コネクタ部品４は、吸引カップ１の球状部分３に備えられた２つの接続具から構成されるが、このコネクタ部品４は例えば１つの接続具、ケーシングまたはその類の部品であってもよい。この第５具体案においてロック手段１１はピン部材であるが、超音波溶接またはその類で溶接されたプラグであってもよい。
【００４３】
図６に見られる第６具体案によると、取手部７は突起状留め部１３を備えた、中空で溝部が施され弾力のある円柱状に形成される。接続手段８は、リボン状もしくは棒状に形成された部品である。リボンとして形成された接続手段８にはループが形成され、このループに取手部７が通される。突起状留め部１３によって取手部７がループから滑り落ちることを防ぐ。この具体案において、吸引カップ１には貫通孔部１７が形成され、この孔部に牽引手段６が下方から挿入され、コネクタ９を用いてスナップ式に接続される。コネクタ９は高質量の概ね円柱状の部品で、吸引分娩器における貫通孔部１７に取り付けられる。吸引力を得るための密閉性は、Ｏ字リングを用いることで達成できる。
【００４４】
第６具体案によると、取手部７は中空で溝が形成された弾力性のある円柱部品であるが、ボール状もしくは円錐状の例えば高質量な部品であってももちろんよい。この取手部７には、ループから取手部７が滑り落ちるのを防ぐために突起状留め部１３が備わってなるが、突起状留め部１３の代わりに例えばスナップ式部品やその類の物が留め部として用いられてももちろんよい。
【００４５】
接続手段８はリボン状または棒状に形成された部品であるが、糸状にもしくはチェーンとして形成されることももちろん可能である。
【００４６】
コネクタ９は高質量の概ね円柱状に形成された部品であるが、円錐状またはボール状であってもよく、また中空もしくは部分的に中空に形成されてもよい。
【００４７】
図７ａから７ｆに見られるさらなる具体案によると、接続手段８は好ましくは硬質ポリマー材料から形成された実質的には異なる種類のチェーンである。図７ａ及び７ｂにおけるコネクタ９はリベットである。図７ｃにおいて、コネクタ９は吸引カップ１の球状部分３に溶接された球状部品である。図７ｅ及び７ｆでは、コネクタ９は自らの連結部の周囲に形成されたチェーンである。
【００４８】
さらなる具体案において、接続手段８は主に異なる種類のチェーンとして形成されるが、糸状もしくはリボン状の部品であってもよい。異なる図７ａから７ｆにおいて、コネクタ９はそれぞれ異なる部品であるが、その異なる具体案の間で変更や組み合わせを行うことももちろん可能である。
【００４９】
本発明は上記のたくさんの実施例を用いて説明され、添付の請求項で定義された本発明の範囲内で、様々な変更及び補足的追加が可能であることを理解されたい。
【図面の簡単な説明】
【００５０】
【図１】第１の具体案による本発明を概略的に示した図である。
【図２】第２の具体案による本発明を概略的に示した図である。
【図３】第３の具体案による本発明を概略的に示した図である。
【図４】第４の具体案による本発明を概略的に示した図である。
【図５】第５の具体案による本発明を概略的に示した図である。
【図６】第６の具体案による本発明を概略的に示した図である。
【図７ａ−ｆ】さらなる具体案による本発明を概略的に示した図である。
【符号の説明】
【００５１】
１      吸引カップ
２      補強縁部
３      吸引カップ球状部分
４      コネクタ部品
５      チューブ接続部
６      牽引手段
７      取手部
８      接続手段
９      コネクタ
１０    溝部
１１    ロック手段
１２    溝状孔部
１３    突起状留め部
１４    底面部
１５    コネクタ部品内側面部
１６    ロック手段端部の表面部
１７    貫通孔部
１８    隙間部
１９    収納部
【図１】
2005537084.tif 000003
【図２】
2005537084.tif 000004
【図３】
2005537084.tif 000005
【図４】
2005537084.tif 000006
【図５】
2005537084.tif 000007
【図６】
2005537084.tif 000008
【図７ａ】
2005537084.tif 000009
【図７ｂ】
2005537084.tif 000010
【図７ｃ】
2005537084.tif 000011
【図７ｄ】
2005537084.tif 000012
【図７ｅ】
2005537084.tif 000013
【図７ｆ】
2005537084.tif 000014
【手続補正書】
【提出日】平成16年10月26日(2004.10.26)
【手続補正１】
【補正対象書類名】特許請求の範囲
【補正対象項目名】全文
【補正方法】変更
【補正の内容】
【特許請求の範囲】
【請求項１】
略チューブ状としたコネクタ部品（４）を有する硬質材料から形成された吸引カップ（１）と、取手部（７）、接続手段（８）及びコネクタ（９）から構成される弾力性物質からなる牽引部品（６）と、及びロック手段（１１）とから構成される産科吸引分娩器であり、
上記コネクタ部品（４）は吸引カップ（１）に一体化された部品として形成され、上記コネクタ（９）は上記コネクタ部品（４）に接続可能となるよう配置され、上記コネクタ部品（４）とコネクタ（９）とは相互に移動可能に固定され、上記コネクタ部品（４）はその一方の端部に形成された収納部（１９）と、部分的に球状部を有する内側面部（１５）と、溝部（１０）とを有し、上記ロック手段（１１）は上記コネクタ部品（４）に上記コネクタ（９）を固定するために該コネクタ部品（４）に備えられた固定可能なロック装置であることを特徴とする産科吸引分娩器。
【請求項２】
上記取手部（７）、接続手段（８）及びコネクタ（９）は単一の部品として形成されることを特徴とする請求項１に記載の産科吸引分娩器。
【請求項３】
上記取手部（７）、接続手段（８）及びコネクタ（９）はそれぞれ別個の部品として形成されることを特徴とする請求項１に記載の産科吸引分娩器。
【請求項４】
上記コネクタ部品（４）は１つ又は複数の部品から構成されることを特徴とする請求項１に記載の産科吸引分娩器。
【請求項５】
上記接続手段（８）は糸状部品として形成されることを特徴とする請求項１に記載の産科吸引分娩器。
【請求項６】
上記接続手段（８）はリボン状部品として形成されることを特徴とする請求項１に記載の産科吸引分娩器。
【請求項７】
上記コネクタ（９）はボール状の形態をしてなることを特徴とする請求項１に記載の産科吸引分娩器。
【請求項８】
上記コネクタ（９）は円柱の形態をしてなることを特徴とする請求項１に記載の産科吸引分娩器。
【請求項９】
上記固定可能なロック装置は、その端部に部分的に球状の表面部（１６）が形成されることを特徴とする請求項１に記載の産科吸引分娩器。
【請求項１０】
上記固定可能なロック装置には、放射状に配置された軸方向に延長する穴部（１８）が形成され、該穴部（１８）には上記接続手段（８）の一部が収納されることを特徴とする請求項９に記載の産科吸引分娩器。
【請求項１１】
上記ロック手段（１１）は、上記コネクタ部品（４）に備えられたスナップで取付けを行う方式の装置であることを特徴とする請求項１に記載の産科吸引分娩器。
【請求項１２】
上記ロック手段（１１）は、上記コネクタ部品（４）に備えられた接着可能な装置であることを特徴とする請求項１に記載の産科吸引分娩器。
【請求項１３】
上記固定部品（１１）は、上記コネクタ部品（４）に備えられたピン状部品であることを特徴とする請求項１に記載の産科吸引分娩器。
【国際調査報告】
2005537084.tif 000015
2005537084.tif 000016